(57)【特許請求の範囲】
【請求項１】
ＰＣＢ汚染物内のＰＣＢ含有絶縁油を回収するために用いられる回収装置であって、
ＰＣＢ含有絶縁油を受ける油受け部と、
前記油受け部表面に洗浄液を流す洗浄液流出部とを備え、
該洗浄液流出部は、前記油受け部に設けられた複数の洗浄液吐出部と、前記洗浄液吐出部を介して前記油受け部の表面に洗浄液を供給する洗浄液供給部とを用いて構成され、吐出された洗浄液をそれぞれ重なり合わせて油受け部に吐出させ得るように吐出液が略扇形に吐出される前記洗浄液吐出部が所定間隔に備えられ、且つ、前記洗浄液流出部から前記洗浄液を流すタイミングが、前記ＰＣＢ含有絶縁油が前記油受け部に流下される直後あるいは直前から洗浄液の流出を開始させて、流下が終了してから３０〜６０秒経過後に洗浄液の流出を終了させるべく定められていることを特徴とするＰＣＢ含有絶縁油の回収装置。
【請求項２】
前記油受け部が、前記ＰＣＢ汚染物の解体箇所下部に設けられている請求項１に記載のＰＣＢ含有絶縁油の回収装置。
【請求項３】
前記油受け部が、前記ＰＣＢ汚染物の搬送経路下部に設けられている請求項１に記載のＰＣＢ含有絶縁油の回収装置。
【請求項４】
前記洗浄液吐出部が、前記油受け部の上縁部に設けられている請求項１から３のいずれか１項に記載のＰＣＢ含有絶縁油の回収装置。
【請求項５】
前記油受け部が、漏斗形状を有している請求項１から４のいずれか１項に記載のＰＣＢ含有絶縁油の回収装置。
【請求項６】
前記洗浄液として、ＰＣＢよりも蒸気圧が低い洗浄液が用いられる請求項１から５のいずれか１項に記載のＰＣＢ含有絶縁油の回収装置。
【請求項７】
前記洗浄液として、絶縁油が用いられる請求項６に記載のＰＣＢ含有絶縁油の回収装置。
【発明の詳細な説明】
【０００１】
【発明の属する技術分野】
本発明は、ＰＣＢ汚染物の無害化処理に関するものであって、詳しくは、ＰＣＢ汚染物内のＰＣＢ含有絶縁油を回収するために用いられる回収装置に関するものである。
【０００２】
【従来の技術】
ポリ塩化ビフェニル（以下「ＰＣＢ」という。）は、安定性、不燃性、電気絶縁性に優れていることから、過去において、コンデンサやトランス等（以下「コンデンサ等」という。）を構成する際の絶縁油に利用されていた。このように利用されるＰＣＢは、容易に化学的に分解されないため、使用されたコンデンサ等が廃棄処理された後には、水、土壌等に蓄積して、食品等を介して人体に入るおそれがある。
【０００３】
このように、ＰＣＢは、分解されにくく有害であるため、現在は、その製造や新規使用等が禁止されている。そして、その毒性が指摘された後は、ＰＣＢを含有する絶縁油（以下、「ＰＣＢ含有絶縁油」という。）を使用したコンデンサ等は保管され、その早急な処理が必要とされている。
【０００４】
コンデンサ等は、具体的には、本体とＰＣＢ含有絶縁油、及びこれらを収容する容器等から構成され、本体は、素子、その他付属物とから構成されている。このうち、素子は、帯状の電極と帯状の絶縁体が重ねられた状態で、これらが何層にも巻かれて構成されている。
【０００５】
上記コンデンサ等の廃棄処理を行う際には、容器内から抜き出されたＰＣＢ含有絶縁油については、そのＰＣＢを確実に分解処理（無害化）することが求められ、従来から種々の処理方法が検討されている。
また、コンデンサ等を構成する容器や素子については、絶縁油を抜き出した後においても、容器には絶縁油が付着しており、素子の絶縁体は絶縁油を含浸しているため、これらを完全に除去した後、安全な状態で廃棄あるいは再利用する必要がある。
【０００６】
さて、ＰＣＢ汚染物の除染処理を行う場合、ＰＣＢ汚染物は、上述したように、その内部に充填等されているＰＣＢ含有絶縁油を抜き出した後（回収した後）に、その容器等についての解体処理等が行われるが、回収作業時に全てのＰＣＢ含有絶縁油を抜き出すことは困難である。したがって、ＰＣＢ汚染物の除染処理を行う場合には、回収装置表面の他、解体箇所の下部あるいは搬送経路下部にＰＣＢ含有絶縁油が流下して付着する場合がある。
【０００７】
そこで、従来技術においては、メインのＰＣＢ含有汚染物の回収装置に加えて、ＰＣＢ含有絶縁油が流下する可能性がある作業箇所の下には、ＰＣＢ含有絶縁油を回収するための油受け等の回収装置が設けられている。
【０００８】
【発明が解決しようとする課題】
しかしながら、上記従来技術においては、次のような問題があった。
【０００９】
上述したように、従来技術においては、ＰＣＢ含有絶縁油を回収するために、種々の回収装置が設けられているが、ＰＣＢ含有絶縁油が付着した各部表面からＰＣＢが蒸発するという問題があった。
【００１０】
そこで、従来技術においては、ＰＣＢ含有絶縁油の回収、解体処理、および洗浄処理等の除染処理を遮蔽室内にて行うべく構成し、ＰＣＢの蒸発に対応すべく、遮蔽室内を常に換気（排気）している。
ところが、このように遮蔽室内を常時排気した場合であっても、大量のＰＣＢ含有絶縁油の回収を行う場合（特にメインの回収装置使用時）には、遮蔽室内には高濃度のＰＣＢ蒸気が充満する可能性があり、そのようなときに作業者が遮蔽室内に入ると、曝露する可能性があるという問題があった。
また、ＰＣＢ蒸気の濃度の高まりがメインの回収装置使用時等の一時的なものであったとしても、遮蔽室内の機器は、そのたびに高濃度のＰＣＢ蒸気にさらされて汚染されることとなるため、メンテナンス処理時や解体時に洗浄の手間がかかるという問題があった。
【００１１】
そこで、本発明は、上記従来技術にかかる問題を解決するためになされたものであって、ＰＣＢ含有絶縁油を回収する際におけるＰＣＢ蒸気の発生を低減させることが可能なＰＣＢ含有絶縁油の回収装置を提供することを課題とする。
【００１２】
【課題を解決するための手段】
本発明は、上記従来技術の課題を解決するためになされたもので、ＰＣＢ汚染物内のＰＣＢ含有絶縁油を回収するために用いられる回収装置であって、ＰＣＢ含有絶縁油を受ける油受け部と、前記油受け部表面に洗浄液を流す洗浄液流出部とを備え、該洗浄液流出部は、前記油受け部に設けられた複数の洗浄液吐出部と、前記洗浄液吐出部を介して前記油受け部の表面に洗浄液を供給する洗浄液供給部とを用いて構成され、吐出された洗浄液をそれぞれ重なり合わせて油受け部に吐出させ得るように吐出液が略扇形に吐出される前記洗浄液吐出部が所定間隔に備えられ、且つ、前記洗浄液流出部から前記洗浄液を流すタイミングが、前記ＰＣＢ含有絶縁油が前記油受け部に流下される直後あるいは直前から洗浄液の流出を開始させて、流下が終了してから３０〜６０秒経過後に洗浄液の流出を終了させるべく定められていることを特徴としている。
【００１３】
このような構成によれば、前記ＰＣＢ含有絶縁油を回収する際に、この絶縁油を受ける油受け部表面に洗浄液を流す前記洗浄液流出部が設けられているため、回収時に前記油受け部に付着したＰＣＢが前記洗浄液に溶解され、また洗浄液によって物理的に洗い流され、さらにＰＣＢ表面を洗浄液が覆うこととなる。以上のことから、油受け部にＰＣＢが付着する時間が大きく低減され、また空気との接触状態も低減されることとなるため、ＰＣＢの蒸発、拡散を効果的に抑えることが可能となる。さらに、該洗浄液流出部は、前記油受け部に設けられた複数の洗浄液吐出部と、前記洗浄液吐出部を介して前記油受け部の表面に洗浄液を供給する洗浄液供給部とを用いて構成され、吐出された洗浄液をそれぞれ重なり合わせて油受け部に吐出させ得るように吐出液が略扇形に吐出される前記洗浄液吐出部が所定間隔に備えられており、前記複数の洗浄液吐出部を介して前記洗浄液供給部から供給される前記洗浄液を吐出させ、迅速に前記洗浄液を前記油受け部の表面全体に流出させることが可能となるため、ＰＣＢの蒸発を効果的に抑えることができる。
【００１４】
また、本発明にかかるＰＣＢ含有絶縁油の回収装置においては、前記油受け部が前記ＰＣＢ汚染物の解体箇所下部に設けられている構成が好ましく、さらに、前記油受け部が前記ＰＣＢ汚染物の搬送経路下部に設けられている構成が好ましい。
【００１５】
この好ましい構成によれば、主にＰＣＢ含有絶縁油を回収する箇所（メインの回収装置設置場所）はもちろんのこと、上記のようにＰＣＢ含有絶縁油が漏洩する可能性がある箇所（前記解体箇所下部、前記搬送経路下部）にも、予め前記油受け部が設けられているため、かかる箇所にて前記ＰＣＢ含有絶縁油が漏洩したとしても、上述した前記洗浄液の機能により、ＰＣＢの蒸発を抑えることができる。
【００１８】
また、本発明にかかるＰＣＢ含有絶縁油の回収装置においては、前記洗浄液吐出部が、前記油受け部の上縁部に設けられている構成が好ましい。
【００１９】
この好ましい構成によれば、前記複数の前記洗浄液吐出部が前記油受け部の上縁部に設けられているため、前記油受け部の全面に対して、前記洗浄液を上方から下方に迅速に流出させることができる。
【００２０】
また、本発明にかかるＰＣＢ含有絶縁油の回収装置においては、前記油受け部が漏斗形状を有していることが好ましい。
【００２１】
この好ましい構成によれば、前記油受け部は、その開口部が広く形成され、下部に行くに従って先細形状となっているため、漏れ等なく比較的容易に前記ＰＣＢ含有絶縁油を回収すると共に、回収したＰＣＢ含有絶縁油を簡単に集めて次工程に搬送等することができる。
【００２２】
また、本発明にかかるＰＣＢ含有絶縁油の回収装置においては、前記洗浄液流出部から前記洗浄液を流すタイミングが、前記ＰＣＢ含有絶縁油が前記油受け部に流下される時期に応じて定められる。
【００２３】
この構成によれば、前記ＰＣＢ含有絶縁油の流下時期に応じて、前記洗浄液を流すタイミングが定められるため、前記洗浄液の使用量を抑えつつ、効果的にＰＣＢの蒸発を抑制することができる。例えば、前記ＰＣＢ汚染物内のＰＣＢ含有絶縁油を直接的に流下させて、ＰＣＢ含有絶縁油の回収を行う箇所（メインの回収箇所）においては、ＰＣＢ汚染物を挟持等して絶縁油を流下させる機構の動きとリンクして、絶縁油の流下直後（あるいは直前）から洗浄液の流出を開始させて、絶縁油流下後であって所定時間経過した後（３０〜６０秒経過後）に洗浄液の流出を終了させるべく構成すればよい。また、ＰＣＢ含有絶縁油の漏洩等の可能性がある箇所（サブの回収箇所）においては、実際に漏洩が生じた際、あるいは予め定められた所定時間毎に洗浄液の流出を行うべく構成すればよい。
【００２４】
また、本発明にかかるＰＣＢ含有絶縁油の回収装置においては、前記洗浄液として、ＰＣＢよりも蒸気圧が低い洗浄液が用いられる構成が好ましい。
【００２５】
この好ましい構成によれば、ＰＣＢよりも蒸気圧が低い洗浄液が用いられるため、ＰＣＢの蒸発をより効果的に抑制することが可能となる。
【００２６】
【発明の実施の形態】
以下、図面に基づいて、本発明の実施の形態を説明する。なお、本発明は、ＰＣＢ汚染物の無害化処理に関するものであって、ＰＣＢ汚染物の解体処理およびＰＣＢ含有絶縁油の回収処理に特徴を有する。したがって、本実施形態においては、これらの処理に用いられるＰＣＢ汚染物の解体装置およびＰＣＢ含有絶縁油の回収装置について、特に詳細に説明する。
【００２７】
図１は、本実施形態にかかる各装置にて処理されるコンデンサ（本発明の「ＰＣＢ汚染物」に相当）の一例を示す概略断面図である。
コンデンサ１は、炭素鋼板等にて形成される直方体形状の容器２と、容器２内に収容される本体部３と、容器２の上部を密封する炭素鋼板等にて形成される上蓋４と、上蓋４を貫通すべく設けられた複数の碍子５と、碍子５の先端から突出すべく設けられた端子６と、端子６から碍子５内を貫通して本体部３の端子部に接続されるリード線７とを用いて構成されており、さらに、このコンデンサ１を成す容器２内には、電気絶縁用および冷却用のＰＣＢ含有絶縁油８が充填されている。
【００２８】
また、本体部３は、アルミ箔と紙（クラフト紙等）とを重ねて巻回された多数のコンデンサ素子９等を用いて構成されている。さらに、このコンデンサ素子９等から成る本体部３は、容器２の側板の内周面に配設された固定板３ａの内側に収容されており、本体部３の底部と容器２の底面との間にはクラフト紙３ｂが配設されている。
【００２９】
さて、先にも述べたように、ＰＣＢ汚染物の処理には、ＰＣＢ等を含んだ絶縁油（ＰＣＢ含有絶縁油）の処理と、ＰＣＢを含浸（あるいはＰＣＢが付着）した各構成要素の処理とがある。そして、このＰＣＢを含浸等した構成要素（容器２内の本体部３等）については、より細かい状態とした後に洗浄処理等を施す必要がある。
すなわち、以上のように構成されたＰＣＢ汚染物であるコンデンサ１についての除染処理を行うためには、コンデンサ１を成す容器２等を解体して、その内部の本体部３等と、容器２内に封入されているＰＣＢ含有絶縁油８とを、分離回収しなければならない。
【００３０】
図２は、ＰＣＢ汚染物たるコンデンサの除染処理を実施する際のプロセスフローの概略図を示したものである。
【００３１】
コンデンサ１は、受入時に、外部汚れ、ＰＣＢ漏れ、および破損程度等が検査され、まずはじめに、コンデンサ１の容器２の外部除塵処理Ｓ２０１が行われる。また、ＰＣＢ汚染のない外部部材についは、その取り外し処理Ｓ２０２が行われて、取り外された金属等については、リサイクルあるいは廃棄される。
【００３２】
次に、外部部材等の取り外しが行われたコンデンサ１は、移送ラインに移され、遠隔操作にて、寸法・重量測定処理Ｓ２０３およびＸ線による内部構造透視の検査Ｓ２０４を受ける。この内部透視処理Ｓ２０４の結果は、次工程以降のコンデンサ１の穿孔処理、解体処理等を行う際に利用される。すなわち、この内部透視の結果に基づいて、穿孔位置（穿孔しやすい位置、適切な穿孔深さ等）あるいは切断位置（切断しやすい位置等）等が定められる。
ここで「切断位置」は、例えば、内部透視の結果に基づき確認された容器２内の本体部３に干渉しない位置と、後述する上蓋支持具に干渉しない位置との間に定められる。また、容器２内のＰＣＢ含有絶縁油８の液面が容器２内の本体部３よりも上方に位置する程度にしか抜油されない場合には、絶縁油８の漏出を防止するために、「切断位置」は、絶縁油８の液面と上蓋支持具に干渉しない位置との間に定めることが好ましい。
【００３３】
次に、コンデンサ１の内部のＰＣＢ含有絶縁油８を適切に回収するために、真空吸引状態にある抜油針にてコンデンサ１の上蓋４の穿孔処理Ｓ２０５が行われ、後述する上蓋４の切断時にコンデンサ１に圧力封入されているＰＣＢ含有絶縁油が飛散しないように、所定量（上蓋４の切断を適切に行うことが可能となる量）のＰＣＢ含有絶縁油８の抜油処理Ｓ２０６が行われる。
【００３４】
抜油処理Ｓ２０６が行われた後のコンデンサ１については、次に、容器２上部の切断処理Ｓ２０７が行われて、上蓋４が分離される。この分離された上蓋４については、後に適切な分別・洗浄等を実施可能なように解体処理Ｓ２０８が行われる。
【００３５】
また、上蓋４が分離された後のコンデンサ１については、その内部の残油（ＰＣＢ含有絶縁油８）の回収処理Ｓ２０９が行われた後に、容器２内から本体部３の取り出し処理Ｓ２１０が行われる。すなわち、容器２と本体部３とＰＣＢ含有絶縁油８とにそれぞれ分離されることとなる。
【００３６】
さらに、各構成要素についても、先に説明した上蓋４の場合と同様に、適切な洗浄効果をあげるために、分解・裁断処理が施される。具体的には、分離された容器２については、底の切断処理等の解体処理Ｓ２１１等が行われ、本体部３（コンデンサ素子９）についても、裁断処理等の解体処理Ｓ２１２等が行われる。
【００３７】
そして、残油回収処理Ｓ２０９にて回収されたＰＣＢ含有絶縁油８については、抜油処理Ｓ２０６にて回収されたＰＣＢ含有絶縁油８と共に、図示外の装置にて無害化処理が施され、解体処理等が行われたコンデンサ１の各構成要素（容器２、本体部３、および上蓋４等）については、それぞれ洗浄の難易度等に合わせた分別処理および洗浄処理等Ｓ２１３（分別、洗浄、乾燥等）が施される。
【００３８】
上記洗浄処理等が終了した後には、その洗浄方法、あるいは構成部位等に応じて、それぞれ定められた方法を用いて判定処理Ｓ２１４が行われる。この判定処理Ｓ２１４の方法としては、例えば、洗浄液試験法、拭き取り試験法、部材採取試験法がある。
【００３９】
さて、本発明は、上述したように、ＰＣＢ汚染物の無害化処理に関するものであって、ＰＣＢ汚染物の解体処理（容器上部切断処理Ｓ２０７）およびＰＣＢ含有絶縁油の回収処理（残油回収処理Ｓ２０９）等に特徴を有する。
そこで以下においては、これらの各処理に用いられる装置について具体的に説明する。
【００４０】
図３は、本実施形態にかかる解体装置の概略図を示したものであって、より詳細には、解体装置にＰＣＢ汚染物（コンデンサ）が搬入された状態を示したものである。また、図４は、図３のIV−IV線矢視図を示したものである。
【００４１】
本実施形態にかかる解体装置は、搬入されたコンデンサ１を解体位置にて支持・固定するコンデンサ支持具３１と、コンデンサ１の所定箇所（例えば、コンデンサ１の上部箇所（図１の破線Ｘ位置））を切断すべく設けられた切断機構３２（第一切断機構３２Ａ，第二切断機構３２Ｂ）と、コンデンサ１の上蓋を支持等する上蓋支持具３３等とを用いて構成されている。
また、この解体装置の下部には、コンデンサ１の解体時に漏洩する可能性があるＰＣＢ含有絶縁油を回収するための第二の回収装置５１（本発明の「ＰＣＢ含有絶縁油の回収装置」に相当）が設けられている。
そして、ここで切断位置として定められる破線Ｘ位置は、上述したように、上蓋４を支持している状態の上蓋支持具３３、容器２内の本体部３、および容器２内のＰＣＢ含有絶縁油８の液面のいずれにも干渉しないように定められるものであり、本実施形態においては、図１に示すように、上蓋支持具３３に干渉せず（上蓋支持具３３のつかみ代よりも下方であって）、容器２内の絶縁油８の液面に干渉しない位置（液面よりも上方）に、切断箇所たる破線Ｘ位置が定められる。
【００４２】
コンデンサ支持具３１は、切断機構３２を用いた切断時にコンデンサ１が動いたり倒れたりしないように、容器２を支持・固定するものであって、コンデンサ１の両側に一対設けられている。このコンデンサ支持具３１は、矢印Ｘ１方向（図３参照）に移動可能に構成されており、コンデンサ１の搬入時には、コンデンサ１に接触しない位置に待避しており、切断時には、コンデンサ１に接触して固定する位置にまで移動する。そして、さらに、切断後には、コンデンサ１はさらに後流側の工程（Ｓ２０９等）に搬出されるため、支持具３１はコンデンサ１と非接触状態となる位置にまで待避する。すなわち、このコンデンサ支持具３１は、搬入、切断、および搬出が繰り返される状態において、待避（非接触）、固定（接触）、および待避（非接触）を繰り返すべく機能する。
【００４３】
切断機構３２は、図４に示すべく、解体装置に搬入され、コンデンサ支持具３１に固定された状態のコンデンサ１の両側に一対設けられており、各切断機構３２Ａ，３２Ｂには、それぞれ薄板の切断に用いられる薄板用チゼル３２１（本発明の「切断部」に相当）と厚板の切断に用いられる厚板用チゼル３２２（本発明の「切断部」に相当）とが設けられている。また、第一切断機構３２Ａには、リード線７等を切断するために用いられるニッパ３２３が設けられている。
なお、図３および図４においては、図面の複雑化を避けるために、適宜重複する部分等については記載を省略しているところもある。例えば、図３においては、第一切断機構３２Ａに設けられている各チゼル３２１，３２２の記載は省略している。
【００４４】
この切断機構３２は、図４に示すように、矢印Ｙ１方向に駆動可能な設置台３２０（第一設置台３２０Ａ，第二設置台３２０Ｂ）（本発明の「駆動部」に相当）に上記チゼル３２１，３２２等が設けられており、各チゼル３２１，３２２については、設置台３２０上にて矢印Ｘ２方向に駆動可能に構成されている（この駆動機構も本発明の「駆動部」に相当）。また、各チゼル３２１，３２２は、回転可能に構成されている。具体的には、この各チゼル３２１，３２２近傍は、図５および図６に示すように構成されている。この図５および図６については、後述する。
【００４５】
上蓋支持具３３は、切断機構３２を用いた切断時に上蓋４および端子６等が落ちないように、上蓋４等を固定するものであって、搬入されたコンデンサ１の上部に設けられている。この上蓋支持具３３は、上下方向（矢印Ｚ１方向）（図３参照）に駆動可能に構成されており、コンデンサ１の搬入時には、コンデンサ１に接触しない位置に待避しており、切断時には、コンデンサ１の上蓋４を挟持して固定すべく機能する。そして、この上蓋支持具３３は、容器２の切断処理後には、上蓋４を挟持固定した状態で上方向に移動して、コンデンサ１の容器２から、上蓋４およびこれに付随した各構成要素（端子６等）を解体分離すべく機能する。なお、この解体分離の際、上蓋４に付随して持ち上げられたリード線７については、切断機構３２に設けられたニッパ３２３にて切断される。このようにして、上蓋４等の解体分離が終了した後には、上述したように、コンデンサ１はさらに後流側の工程（Ｓ２０９等）に搬出され、上蓋４等については、さらに他の装置（図示省略）を用いて解体処理（Ｓ２０８）等が施される。
【００４６】
また、図３および図４に示された第二の回収装置５１は、上述したように、コンデンサ１解体時におけるＰＣＢ含有絶縁油の漏洩に備え、解体装置の下部に設けられたものである。
そして、この第二の回収装置５１は、これらの図に示すように、解体装置におけるコンデンサ１の解体領域を覆うような開口部を有する油受け部５１１と、この油受け部５１１の表面に洗浄液を吐出すべく設けられた洗浄液流出部５１２と、洗浄液供給部（図示省略）から洗浄液流出部５１２に対して洗浄液を供給すべく設けられた洗浄液供給パイプ５１３と、油受け部５１１にて回収されたＰＣＢ含有絶縁油および洗浄液を図示外の処理装置に排出するために設けられた排出パイプ５１４等とを用いて構成されている。
なお、この第二の回収装置５１は、他の箇所に設けられた回収装置（後述する第一の回収装置）等と略同様の構成および作用効果を有する。したがって、ここでは、第二の回収装置５１の詳細な構成および具体的な作用効果等については省略する。
【００４７】
図５は、設置台上に設けられたチゼルおよびその周辺の構成の概略図を示したものであり、図６は、図５のVI線方向矢視図を示したものである。なお、各チゼル３２１，３２２およびその周辺の構成は、いずれも略同様の構成を有しているため、ここでは、特に「Ａ」「Ｂ」等の符号を付すことなく説明する。
【００４８】
本実施形態にかかる切断機構３２においては、チゼル３２１を矢印Ｘ２方向に駆動させるべく、ガイド棒３２４と油圧シリンダ３２５とが設けられ、チゼル３２１はこのガイド棒３２４に取り付けられている。このガイド棒３２４および油圧シリンダ３２５は、本発明の「駆動部」に相当する。
さらに詳細には、チゼル３２１は、回転支持フレーム３４１、反力吸収アブソーバ３２８、断続的打力発生器３２７等を介してガイド棒３２４に取り付けられており、断続的打力発生器３２７とチゼル３２１との間には引き戻し用ばね３２６および回り止め３４２が設けられている。また、チゼル３２１は、モータ３２９によって、回動軸３４３を中心としてＳ１方向に回動可能に構成されている。
【００４９】
また、チゼル３２１（３２２）は、三枚の刃を用いて構成されており、中央刃３２１ａ（３２２ａ）が、その両側に設けられた側方刃３２１ｂ（３２２ｂ）の下側に反るように設けられている。すなわち、図５に示すような側面図において、中央刃３２１ａと側方刃３２１ｂとの間に所定の角度が設けられている。
【００５０】
そして、このチゼル３２１は、以上のように所定の角度を有することによって、容器２を切断する際には、中央刃３２１ａのみが容器２を構成する側板の内側（裏側）に入り込み、中央刃３２１ａと側方刃３２１ｂとの間で容器２を挟持するような状態で前進することによって、容器２の側板を剪断力によって切断することができる。この際、両側の側方刃３２１ｂは、側板の外側に接して中央刃３２１ａをサポートする。なお、切断を行うための剪断力は、本実施形態においては、上述した断続的打力発生器３２７にてチゼル３２１に与えられる。
【００５１】
上記図３〜図６に示すべく構成された解体装置においては、コンデンサ１が搬入された後に、具体的に次のように機能して、解体処理（容器上部切断処理Ｓ２０７）が行われる。
【００５２】
まず、コンデンサ１が解体装置に搬入されると、コンデンサ支持具３１を駆動させて、コンデンサ１が側方から支持固定され、さらに、上蓋支持具３３を下降させることによって、コンデンサ１の上蓋４が挟持固定される。
【００５３】
次いで、そのコンデンサ１を成す容器２の側板の厚さに応じて、切断機構３２において、薄板用チゼル３２１あるいは厚板用チゼル３２２が選択され、選択されたチゼルによる容器２側板の切断処理が行われる。この切断位置は、内部透視の結果等に基づいて定められ、図１に示すようなコンデンサ１については、例えば破線Ｘの位置で切断処理が行われる。
この切断の際には、それぞれの切断機構３２を駆動させるために設けられた駆動部によって、各チゼルはコンデンサ１の容器の外周形状に沿って移動可能に構成されている。そして、第一切断機構３２Ａに設けられたチゼルによって、コンデンサ１の第一面１ａおよび第二面１ｂが切断され、第二切断機構３２Ｂに設けられたチゼルによって、コンデンサ１の第三面１ｃおよび第四面１ｄが切断される。
【００５４】
例えば、第一切断機構３２Ａによってコンデンサ１の第一面１ａおよび第二面１ｂを切断する場合について説明する。
まず、図５に示すような角度のチゼル３２１を第一面１ａに接する位置まで矢印Ｘ２１方向に移動させ、チゼル３２１を第一面１ａを切削可能な状態で矢印Ｙ１１方向に移動させることによって第一面１ａの切断処理を行う。
次いで、第一面１ａと第二面１ｂとの間の角部にて、チゼル３２１が第二面１ｂを切削可能な状態となるように、チゼル３２１をモータ３２９によって矢印Ｓ１１方向に回転させる。すなわち、第一面１ａの切断時における、第一面１ａとチゼル３２１との間に形成された関係（角度等）と、略同様の関係となるべく、第二面１ｂに対してチゼル３２１を矢印Ｓ１１方向に回転させる。そして、その状態を維持しつつ、チゼル３２１を切削可能な状態で矢印Ｘ２１方向に移動させることによって第二面１ｂの切断よりを行う。
【００５５】
コンデンサ１を成す容器２の全面１ａ，１ｂ，１ｃ，１ｄ（図４参照）の所定位置が切断された後には、上蓋４を挟持している上蓋支持具３３を上昇させて、上蓋４に付属のリード線７等をニッパ３２３にて切断して、上蓋４およびこれに付属した構成要素を容器２から分離させる。
【００５６】
なお、上述したように、上蓋４等がコンデンサ１の容器２から分離させられる際には（あるいは、チゼルにて切断を行っている最中においては）、容器２内のＰＣＢ含有絶縁油の残留状態等によって、容器２内からＰＣＢ含有絶縁油が漏出する場合がある。そこで、本実施形態においては、解体装置の下部に先に説明した第二の回収装置５１を設けている。この第二の回収装置５１は、必要に応じて（例えば、所定時間毎に）、油受け部５１１の上部に設けられた洗浄液流出部から、油受け部５１１の表面に洗浄液を吐出可能に構成されており、これによって、絶縁油が漏出した場合のＰＣＢの蒸発を抑制すべく構成されている。
【００５７】
以上のようにして、容器上部の切断処理Ｓ２０７が終了した後には、図２にも示したように、上蓋４は解体処理Ｓ２０８へ、容器２については残油回収処理Ｓ２０９へ送られる。残油回収処理Ｓ２０９およびこの処理に用いられる装置については、後述する。
【００５８】
本実施形態にかかる解体装置は、上記図３〜図６に示すべく構成され、各構成要素が上述したように機能するため、次のような効果を得ることができる。
【００５９】
本実施形態によれば、三本刃を有するチゼル３２１，３２２を容器２の外周形状に沿って移動させながら容器２の所定箇所（例えば破線Ｘ位置）を切断して、コンデンサ１の容器２の解体分離を行うべく構成されているため、容器２の切断面のカエリが外向きに形成される。つまり、本実施形態においては、チゼルの中央刃３２１ａ，３２２ａが容器２内に挿入された状態かで容器２の切断が行われるため、適切に外向きのカエリが形成される。
したがって、本実施形態によれば、分離解体の際に、容器２内から容易に本体部３（コンデンサ素子９）を取り出すことが可能であるため、作業性が大きく向上する。
【００６０】
また、本実施形態によれば、チゼルを上述したように連続的に駆動させることによって容器２の切断処理が行われるため、従来技術（例えば、サンダー等を用いる場合）よりも細かな切削粉の発生量を少なくすることができる。さらに、火花の発生や発熱も抑えつつ、比較的速く解体処理を実施することができる。
【００６１】
また、本実施形態によれば、三本刃のうちで中央刃のみが下方に反って、所定の角度を有すべく構成されているため、中央刃と側方刃との間で容器２の側板を挟持することができる。すなわち、このような挟持状態にてチゼルを駆動させることによって、容器２の切断面を適切に外向きに形成することが可能となる。
【００６２】
さらに、本実施形態によれば、上述した構成に基づいて、搬入後のコンデンサ１の解体処理を自動化して、遠隔処理を行うことが可能となる。したがって、本実施形態によれば、解体処理の際における作業者のＰＣＢに接する時間を低減させることができる。
【００６３】
また、本実施形態によれば、解体装置下部に第二の回収装置５１を設けているため、容器２内のＰＣＢ絶縁油の漏出等についても、適切に対応可能である。詳細は後述する。
【００６４】
以上のようにして、コンデンサ１の容器２の上部切断処理Ｓ２０７が終了した後には、上蓋４が切断された容器２は、容器２内のＰＣＢ含有絶縁油を回収するために、残油回収処理Ｓ２０９に送られる。
【００６５】
図７は、本実施形態にかかる残油回収処理を行う際に用いられる回収装置（第一の回収装置）の概略図を示したものである。また、図８は、図７のVIII−VIII線矢視図である。
【００６６】
本実施形態にかかる第一の回収装置６１（本発明の「ＰＣＢ含有絶縁油の回収装置」に相当）は、これらの図６および図７に示すように、油受け部６１１と、この油受け部６１１の表面に洗浄液を吐出すべく設けられた洗浄液流出部６１２と、洗浄液の供給源たる洗浄液供給部６１５と、洗浄液流出部６１２と洗浄液供給部６１５とを連通可能に設けられた洗浄液供給パイプ６１３と、油受け部６１１にて回収されたＰＣＢ含有絶縁油および洗浄液を図示外の処理装置に排出するために設けられた排出パイプ６１４と、搬送されたコンデンサ１を収容して、その内部で容器２を傾斜あるいは反転等させるフード部６１８等とを用いて構成されている。
【００６７】
また、洗浄液供給パイプ６１３には、洗浄液の供給量および供給時期等を適切に調節すべく洗浄液調整バルブ６１６が設けられ、排出パイプ６１４には、排出液調整バルブ６１７が設けられている。
【００６８】
さらに、本実施形態にかかる洗浄液流出部６１２は、油受け部６１１の上縁部に配設されたパイプ状部材を用いて構成されており、このパイプ状部材には複数個の小孔６１２ａ（本発明の「洗浄液吐出部」に相当）が設けられている。なお、この小孔６１２ａは、吐出される洗浄液が略扇形となるように、パイプ状部材に穿孔されている。また、小孔６１２ａの穿孔間隔は、各小孔６１２ａから略扇形に吐出される洗浄液が、それぞれ重なり合って、油受け部６１１全面に吐出されるような間隔に設定される。
【００６９】
本実施形態にかかる第一の回収装置６１は、上記図７および図８に示すべく構成され、各要素が以下のように機能し、種々の効果を得ることができる。
【００７０】
まず、本実施形態においては、上述した容器上部切断処理Ｓ２０７が終了した容器２がフード部６１８内の残油回収位置に搬入され、容器２内からＰＣＢ含有絶縁油が流下される前に、洗浄液供給部６１５の洗浄液が、洗浄液調整バルブの調整量に応じて、洗浄液供給パイプ６１３および洗浄液流出部６１２（の小孔６１２ａ）を介して油受け部６１１の表面に流される。
また、このフード部６１８は、図７に示すように、油受け部６１１および油受け部６１１にＰＣＢ含有絶縁油を流下する容器２等の全てを含むべく（すなわち、作業領域全体を閉塞すべく）構成されており、このように構成することによって、外部にＰＣＢが流出することを防止している（環境対策、曝露対策）。なお、先に説明した図３等においては省略したが、同様の趣旨に基づいて、解体装置についてもその作業領域全体を閉塞すべくフード部（図示省略）が設けられている。
【００７１】
次いで、油受け部６１１の表面全体に、洗浄液が略行き渡る程度に流出された後、容器２を傾斜あるいは反転等させて、容器２内のＰＣＢ含有絶縁油を油受け部６１１内に流下させる。なお、このＰＣＢ含有絶縁油の流下時、洗浄液流出部６１２からは、油受け部６１１に対する洗浄液の供給が連続して行われている。
【００７２】
次いで、容器２内のＰＣＢ含有絶縁油の全て（容器２内に付着あるいは含浸しているものを除く。）を油受け部６１１に流下させた後には、容器２の開口部（上蓋４が切断された面）を上方となるべく、容器２を反転等させる。そして、油受け部６１１へのＰＣＢ含有絶縁油の流下が終了してから所定時間経過後（３０〜６０秒経過後）に、洗浄液調整バルブ６１６を閉止して、油受け部６１１に対する洗浄液の供給を停止する。なお、流下されたＰＣＢ含有絶縁油および洗浄液は、油受け部６１１から排出パイプ６１４を介して、図示外の処理装置に送られる。
【００７３】
以上のようにして、ＰＣＢ含有絶縁油の回収（排出）が完了した容器２は、次いで、本体部取り出し処理Ｓ２１０に搬送され、先にも述べたように、その後分別・洗浄等されて、ＰＣＢの除染が行われる。
【００７４】
さて、本実施形態にかかる回収装置６１は、上述したように構成され機能するため、次のような効果を得ることができる。なお、第二の回収装置５１の構成は、基本的に（小孔の構成等）、第一の回収装置６１と同様であるため、特記しない限りは、第二の回収装置５１も第一の回収装置６１と同様の効果を有する。
【００７５】
まず、本実施形態によれば、ＰＣＢ含有絶縁油を回収する際に、洗浄液流出部６１２から油受け部６１１表面に対して洗浄液が流されるため、油受け部６１１上にて、ＰＣＢが洗浄液に溶解して洗い流されることとなる。すなわち、本実施形態によれば、油受け部６１１にＰＣＢが付着する時間が大きく低減されることとなって、ＰＣＢの蒸発を効果的に抑えることが可能となる。
【００７６】
また、本実施形態によれば、主にＰＣＢ含有絶縁油を回収する箇所（第一の回収装置６１）はもちろんのこと、上記のようにＰＣＢ含有絶縁油が漏洩する可能性がある箇所（例えば解体箇所下部）にも、予め回収装置（第二の回収装置５１）が設けられているため、かかる箇所にてＰＣＢ含有絶縁油が漏洩したとしても、上述した洗浄液の機能により、ＰＣＢの蒸発を抑えることができる。
なお、本実施形態においては、第二の回収装置５１を解体装置の下部に設ける構成について説明したが、本発明はこの構成に限定されず、容器２内からＰＣＢ含有絶縁油が漏出する可能性がある部位の如何なる箇所に設けてもよい。例えば、容器２を搬送する搬送経路の下部に設けてもよい。
【００７７】
また、本実施形態によれば、複数の小孔６１２ａ（本発明の「洗浄液吐出部」に相当）を介して洗浄液供給部６１５から洗浄液が供給されるため、迅速に洗浄液を油受け部６１１の表面全体に流出させることが可能となり、ＰＣＢの蒸発を効果的に抑えることができる。
【００７８】
また、本実施形態によれば、複数の小孔６１２ａが油受け部６１１の上縁部に設けられているため、油受け部６１１の全面に対して、洗浄液を上方から下方に迅速に流出させることができる。
【００７９】
また、本実施形態によれば、油受け部６１１は漏斗形状を有し、その開口部が広く形成され、下部に行くに従って先細形状となっているため、漏れ等なく比較的容易にＰＣＢ含有絶縁油を回収すると共に、回収したＰＣＢ含有絶縁油を簡単に集めて次工程に搬送等することができる。
【００８０】
また、本実施形態によれば、ＰＣＢ含有絶縁油の流下時期に応じて、洗浄液を流すタイミングが定められるため、洗浄液の使用量を抑えつつ、効果的にＰＣＢの蒸発を抑制することができる。
例えば、ＰＣＢ汚染物内のＰＣＢ含有絶縁油を直接的に流下させて、ＰＣＢ含有絶縁油の回収を行う箇所（第一の回収装置６１）においては、ＰＣＢ汚染物を反転等させて絶縁油を流下させる機構の動きとリンクして、絶縁油の流下直前から洗浄液の流出を開始させて、絶縁油流下後であって所定時間経過した後に洗浄液の流出を終了させるべく構成すればよい。
また、ＰＣＢ含有絶縁油の漏洩等の可能性がある箇所（第二の回収装置５１）においては、実際に漏洩が生じた際、あるいは予め定められた所定時間毎に洗浄液の流出を行うべく構成すればよい。漏洩が生じたことは、目視で確認しても、また何らかのセンサーを用いてよい。
【００８１】
なお、本発明は上記実施形態に限定されるものではなく、その趣旨を逸脱しない限りにおいて、上述したもの以外に種々の変更を行うことが可能である。
【００８２】
例えば、上記実施形態においては、油受け部の開口部形状が矩形である場合について説明したが、本発明はこの構成に限定されるものではなく、全体として漏斗形状を有するものであれば、開口部形状は円形、あるいは他の多角形（例えば五角形、六角形等）であってもよい。
【００８３】
また、上記実施形態においては、油受け部が漏斗形状である場合について説明したが、本発明はこの構成に限定されるものではなく、容器内からＰＣＢ含有絶縁油を適切に流下させて回収可能であれば、いかなる形状であってもよい。したがって、例えば、樋形状（トラフ（trough）形状あるいはガータ（gutter）形状等）であってもよい。
【００８４】
また、上記実施形態においては、使用される洗浄液については、特に説明しなかったが、本発明に使用される洗浄液は特に限定されず、ＰＣＢ含有絶縁油を溶解可能であって、ＰＣＢと相溶性があり、ＰＣＢの蒸発を適切に抑制できればよい。したがって、例えば、ヘキサン、テトラクロロエチレン、トリクロロエチレン、炭化水素系溶剤、絶縁油等を使用可能である。
なお、これらの洗浄液の中では、環境負荷が少なく、防曝対策の必要がなく、さらに蒸気圧が低い（ＰＣＢの蒸発をより効果的に抑制可能な程の蒸気圧）という性質を有する「絶縁油」を用いることが特に好ましい。
洗浄液としては、ＰＣＢの蒸発をより効果的に抑制するために、ＰＣＢよりも蒸気圧が低い洗浄液を用いることが好ましい。
【００８５】
さらに、上記実施形態においては、解体装置の下部に回収装置（第二の回収装置）を設ける場合について説明したが、本発明はこの構成に限定されず、図２で示した解体の全行程、搬送経路（ベルトコンベア等）下部、あるいは洗浄機器の間のハンドリング等の、いわゆるＰＣＢが漏出する可能性がある全ての箇所において適用可能である。
【００８６】
また、上記実施形態においては、三本刃を備えたチゼルを用いる場合について説明したが、本発明はこの構成に限定されるものではなく、容器を切断した後、切断面に外向きのカエリを形成可能であれば、二本以下あるいは四本以上の刃を有するチゼルを用いてもよい。
【００８７】
また、上記実施形態においては、チゼルを複数（片側二本ずつ）設ける場合について説明したが、本発明はこの構成に限定されるものではなく、その本数は必要に応じて適宜変更可能である。
さらに、上記実施形態においては、片方のチゼルにて、容器２の二面の切断を行う場合について説明したが、本発明はこの構成に限定されず、一本のチゼルにて全面の切断を行ってもよく、また、各面をそれぞれ一本のチゼルにて切断すべく構成してもよい。すなわち、そのチゼルの数や、受け持つ切断面等は特に限定されない。
【００８８】
また、上記実施形態においては、切断部としてチゼルを用いる場合について説明したが、本発明はこの構成に限定されるものではなく、例えば、チゼルに換えて、図９に示すような切断部を用いてもよい。
【００８９】
図９は、本発明の実施形態にかかる解体装置を成す他の切断部の概略図を示したものであって、図９（ａ）は側面概略図を示し、図９（ｂ）は図９（ａ）のIX−IX断面概略図を示したものである。
この図９に示された切断部７０は、先に説明されたチゼル３２１，３２２の換わりに使用可能なものであって、図５にて説明したガイド棒に取り付けた状態で容器２の外周形状に沿って移動させつつ、容器２の側板の切断処理を行うことができる。
【００９０】
より具体的に、切断部７０は、容器２の外周面に接触する固定部７１と、固定部７１にピン７３にて接合されて、このピン７３を中心にして回動可能な切削部７２と、切削部７２を駆動させるべく設けられた油圧シリンダ７４等とを用いて構成されている。
【００９１】
切削部７２の先端部７２ａであって、容器２内面に接触する部位には、容器２を切断するための刃部が形成されており、後端部７２ｂは、油圧シリンダ７４のシャフト７４ａとピン７５にて接合されている。そして、本実施形態においては、油圧シリンダ７４にてシャフト７４ａを矢印Ｌ１方向に駆動（往復動）させることによって、ピン７３を中心として、切削部７２の先端部７２ａを矢印Ｌ２方向に回動させることができる。なお、図９（ｂ）に示すように、固定部７１には、切削部７２の先端部７２ａが回動して容器２の切断を行った際に、その先端部７２ａが固定部７１に接触しないように、溝部７１ａおよび切欠部７１ｂが形成されている。
【００９２】
また、固定部７１と切削部７２とは、上述したように、切削部７２を回動させることによって、各部７１，７２の間に、所定の角度（図９（ａ）に示すような側面図において）を設け得る構成であるため、固定部７１と切削部７２との間に、容易に容器２側板を挟持して切削処理を行うことができる。
【００９３】
この他の実施形態にかかる切削部７２は、以上のように構成されているため、切削部７２を回動させることによって、切断面のカエリを外側に形成しつつ、容器２の切断処理を行うことが可能となる。したがって、先に説明した実施形態と同様の効果を得ることができる。
【００９４】
【発明の効果】
以上説明したように、本発明によれば、ＰＣＢ含有絶縁油を回収する際におけるＰＣＢ蒸気の発生を低減させることが可能なＰＣＢ含有絶縁油の回収装置を得ることができる。
すなわち、本発明にかかる回収装置によれば、油受け表面に付着しＰＣＢが洗浄液に溶解して洗い流されることとなる。また、蒸気圧がＰＣＢよりも低い洗浄液を使用することによって、ＰＣＢの蒸発を効果的に抑制可能である。さらに、ＰＣＢ蒸発量が低減することとなるため、遮蔽室内でのメンテナンスにおいて、作業者の安全性確保、および機器の取扱い性が向上する。また、排気ラインの長寿命化、具体的は、排気ラインの活性炭等の長寿命化を図ることができる。さらに、本発明によれば、高濃度ＰＣＢの処理に特に効果を発揮することができる。
【図面の簡単な説明】
【図１】本発明の実施形態にかかる各装置にて処理されるＰＣＢ汚染物の一例（コンデンサ）の概略断面図である。
【図２】本発明の実施形態にかかる各装置を用いて行われる除染処理を実施する際のプロセスフローの概略図である。
【図３】本発明の実施形態にかかる解体装置等の概略図である。
【図４】図３のIV−IV線矢視図である。
【図５】本発明の実施形態にかかる解体装置を成すチゼルおよびその周辺構成を示す概略図である。
【図６】図５のVI線方向矢視図である。
【図７】本発明の実施形態にかかる残油回収処理を行う際に用いられる回収装置の概略図である。
【図８】図７のVIII−VIII線矢視図である。
【図９】本発明の実施形態にかかる解体装置を成す他の切断部を示す概略図である。図９（ａ）は側面概略図、図９（ｂ）は図９（ａ）のIX−IX断面概略図である。
【符号の説明】
１…コンデンサ、２…容器、３…本体部、３ａ…固定板、３ｂ…クラフト紙、
４…上蓋、５…碍子、６…端子、７…リード線、８…ＰＣＢ含有絶縁油、９…コンデンサ素子
３１…コンデンサ支持具、３２…切断機構、３２Ａ…第一切断機構、３２Ｂ…第二切断機構、３３…上蓋支持具
５１…第二の回収装置
６１…第一の回収装置
７０…切断部、７１…固定部、７２…切削部、７３…ピン、７４…油圧シリンダ、７４ａ…シャフト、７５…ピン
３２１…薄板用チゼル、３２１ａ，３２２ａ…中央刃、３２１ｂ，３２２ｂ…側方刃、３２２…厚板用チゼル、３２３…ニッパ、３２４…ガイド棒、３２５…油圧シリンダ、３２６…引き戻し用ばね、３２７…断続的打力発生器、３２８…反力吸収アブソーバ、３２９…モータ、３４１…回転支持フレーム、３４２…回り止め、３４３…回動軸
５１１，６１１…油受け部、５１２，６１２…洗浄液流出部、５１３，６１３…洗浄液供給パイプ、５１４，６１４…排出パイプ、６１５…洗浄液供給部、６１６…洗浄液調整バルブ、６１７…排出液調整バルブ、６１８…フード部
【図１】
0003657227.tif 000002
【図２】
0003657227.tif 000003
【図３】
0003657227.tif 000004
【図４】
0003657227.tif 000005
【図５】
0003657227.tif 000006
【図６】
0003657227.tif 000007
【図７】
0003657227.tif 000008
【図８】
0003657227.tif 000009
【図９】
0003657227.tif 000010